(57)【要約】      （修正有）【課題】おくるみで包んだ赤ちゃんの股に手を入れて赤ちゃんを抱えることができ、おくるみで包んだ赤ちゃんをベビーカーに乗せたとき赤ちゃんの股にシートベルトを通してシートベルトを締めることができるおくるみを提供する。【解決手段】赤ちゃんの背中側を覆う背中覆い部２と、この背中覆い部２の下端に連設され赤ちゃんの左右の足が個々に挿入される二股状の足挿入部３と、背中覆い部２の左右に連設され赤ちゃんの胸部から腰部の範囲を２枚重ねで覆う右側覆い部４ａと左側覆い部４ｂとを備えている。【選択図】図１
0003175335.tif 000002
【実用新案登録請求の範囲】
【請求項１】
赤ちゃんの背中側を覆う背中覆い部と、この背中覆い部の下端に連設され赤ちゃんの左右の足が個々に挿入される二股状の足挿入部と、前記背中覆い部の左右に連設され赤ちゃんの胸部から腰部までの範囲を２枚重ねで覆う覆い部とを備えたことを特徴とするおくるみ。
【請求項２】
足挿入部には赤ちゃんの胸部を覆う覆い片が連設されており、前記覆い片は背中覆い部に固定可能であることを特徴とする請求項１に記載のおくるみ。
【考案の詳細な説明】
【技術分野】
【０００１】
本考案は、赤ちゃんのおくるみに関する。
【背景技術】
【０００２】
特許文献１に記載のおくるみは、赤ちゃんの背中側を覆う長方形の胴部と、長方形に形成され胴部の左右の辺に各々連設される左側部と右側部と、長方形に形成され胴部の下部に連設される底部とを備えている。赤ちゃんが胴部の上に寝かされた状態で、底部が赤ちゃんの腹部側に折り返され、赤ちゃんの両足と腹部とが底部で覆われる。さらに、左側部と右側部とが赤ちゃんの腹部側に折り返されて、赤ちゃんの腹部を覆っている底部が左側部と右側部とで覆われる。
【先行技術文献】
【特許文献】
【０００３】
【特許文献１】実開平２−１７５０２号公報
【考案の概要】
【考案が解決しようとする課題】
【０００４】
特許文献１に記載のおくるみでは、赤ちゃんの左右の足は底部によっていっしょに包まれる。底部は二股状になっていないので、赤ちゃんの股の部分に手を入れて赤ちゃんを抱えることができない。さらに、おくるみで包んだ赤ちゃんをベビーカーに乗せたとき、赤ちゃんの股にシートベルトを通すことができないのでシートベルトを締めることができない場合があり安全面に問題がある。
【０００５】
本考案の目的は、おくるみで包んだ赤ちゃんの股に手を入れて赤ちゃんを抱えることができ、おくるみで包んだ赤ちゃんをベビーカーに乗せたとき赤ちゃんの股にシートベルトを通してシートベルトを締めることができるおくるみを提供することである。
【課題を解決するための手段】
【０００６】
この課題を解決するために請求項１に記載の考案は、赤ちゃんの背中側を覆う背中覆い部と、この背中覆い部の下端に連設され赤ちゃんの左右の足が個々に挿入される二股状の足挿入部と、前記背中覆い部の左右に連設され赤ちゃんの胸部から腰部までの範囲を２枚重ねで覆う覆い部とを備えたことを特徴とする。
【０００７】
請求項２に記載の考案では、足挿入部に、赤ちゃんの胸部を覆う覆い片が連設されており、前記覆い片は背中覆い部に固定可能であることを特徴とする。
【考案の効果】
【０００８】
請求項１に記載の考案によれば、赤ちゃんの左右の足は足挿入部に個々に挿入されるので、おくるみで包んだ赤ちゃんの股に手を入れて赤ちゃんを抱えることができ、おくるみで包んだ赤ちゃんをベビーカーに乗せたとき赤ちゃんの股にシートベルトを通すことができる。
請求項２に記載の考案によれば、足挿入部は覆い片を介して背中覆い部に固定可能であるので、赤ちゃんの上半身全体を包むことなく腹部のみ包むことができる。
【図面の簡単な説明】
【０００９】
【図１】本考案の一実施形態に係るおくるみの平面図である。
【図２】赤ちゃんがおくるみに包まれた状態の図である。
【図３】赤ちゃんの胸部が胸覆い部で覆った状態の図である。
【図４】赤ちゃんを抱きかかえた状態の図である。
【図５】赤ちゃんをベビーカーに載せた状態の図である。
【考案を実施するための形態】
【００１０】
以下、本考案の一実施形態について図１〜図３に基づいて説明する。図１は本考案の一実施の形態に係るおくるみ１の平面図である。図２は赤ちゃんがおくるみ１に包まれた状態を示す図である。図３は赤ちゃんの胸部が胸覆い部８で覆った状態を示す図である。図４はおくるみ１に包んだ赤ちゃんを抱きかかえた状態を示す図である。図５はおくるみ１に包んだ赤ちゃんをベビーカー１２に載せた状態を示す図である。
おくるみ１は、赤ちゃんの頭部から腰部にかけての背中側を覆う背中覆い部２を備える。背中覆い部２の下端には赤ちゃんの左右の足が挿入される足挿入部３が連設される。背中覆い部２の右側には、折り返されて赤ちゃんの胸部から腰部までの範囲を覆う右側覆い部４ａが連設され、背中覆い部２の左側には、折り返されて赤ちゃんの胸部から腰部までの範囲を覆う左側覆い部４ｂが連設される。
【００１１】
足挿入部３は、赤ちゃんの左右の足が個々に挿入される袋部５と、赤ちゃんの腰部を覆う腰覆い部６とを備えている。袋部５は二股状に形成されており、赤ちゃんの左右の足が袋部５に個々に挿入される。左右の足が袋部５に挿入されると、赤ちゃんの腰部は腰覆い部６で覆われる。
【００１２】
足挿入部３の開口部７には赤ちゃんの胸部を覆う胸覆い部８が連設される。胸覆い部８の両側部にはスナップボタン９ａが各々設けられており、このスナップボタン９ａを背中覆い部２に設けられたスナップボタン９ｂに係止することによって、胸覆い部８の両側部が背中覆い部２に係止される。
【００１３】
右側覆い部４ａ，左側覆い部４ｂは概ね半円状に形成されており、赤ちゃんの胸部が胸覆い部８で覆われた状態で、胸覆い部８を覆うように右側覆い部４ａと左側覆い部４ｂとが折り重ねられる。右側覆い部４ａの裏面には、面ファスナー１０ａが各々設けられており、左側覆い部４ｂの裏面には、面ファスナー１０ｂが設けられている。面ファスナー１０ａと１０ｂを係合させて右側覆い部４ａと左側覆い部４ｂとを係合させることができる。面ファスナー１０ａは適当な間隔を開けて２箇所に設けられており、赤ちゃんの体格に合わせて右側覆い部４ａと左側覆い部４ｂとの係合位置を選択することができる。
【００１４】
赤ちゃんをおくるみ１で包む場合には、まず足挿入部３の袋部５に赤ちゃんの左右の足を挿入する。袋部５に左右の足を挿入すると腰部が腰覆い部６で覆われる。次に赤ちゃんの胸部を足挿入部３に連設された胸覆い部８で覆う。胸覆い部８のスナップボタン９ａを、背中覆い部２のスナップボタン９ｂに係止して、胸覆い部８の両側部を背中覆い部２に固定する。胸覆い部８は胸当てとして用いられる。
【００１５】
次に、赤ちゃんの胸から腰にかけて掛け布団を掛けるように、右側覆い部４ａと左側覆い部４ｂとが胸覆い部８の上に折り重ねられる。右側覆い部４ａの面ファスナー１０ａと右側覆い部４ｂの面ファスナー１０ｂを係合させて右側覆い部４ａと左側覆い部４ｂとを係合する。
【００１６】
赤ちゃんの足は二股状の袋部５に別々に挿入されているので、おくるみ１で包んだ赤ちゃんの股に手を入れて赤ちゃんを抱きかかえることができる。抱きかかえられた赤ちゃんは、左右の足をおくるみ１で拘束されることなく自由に動かすことができる。さらに、図５に示すように赤ちゃんをおくるみ１で包んでベビーカー１２に乗せたときであっても、赤ちゃんの股にシートベルトを通すことができ、赤ちゃんをシートベルトでＴ字状に固定して安全性を向上させることができる。
【００１７】
赤ちゃんを右側覆い部４ａと左側覆い部４ｂとで覆うことなく、胸覆い部８だけで包むこともできる。この場合には赤ちゃんに開放感を与えることができる。赤ちゃんの胸部を覆う胸覆い部８は背中覆い部２に固定されているので、赤ちゃんは安定した状態で両手を自由に動かすことができる。さらに右側覆い部４ａと左側覆い部４ｂとの着脱によって容易に赤ちゃんの体温調節をすることもできる。
【００１８】
なお、背中覆い部２の上端には赤ちゃんの頭部を覆うフード１１が設けられている。体格が小さい赤ちゃんの場合には、フード１１を折り返して枕として用いることもできる。おくるみ１は足挿入部３が足の形状に沿った二股に分かれているので、観者に活動的な印象を与えることもできる。
【００１９】
このように、赤ちゃんの背中側を覆う背中覆い部２と、この背中覆い部２の下端に連設され赤ちゃんの左右の足が個々に挿入される二股状の足挿入部３と、前記背中覆い部２の左右に連設され赤ちゃんの胸部から腰部までの範囲を２枚重ねで覆う右側覆い部４ａと左側覆い部４ｂとを備えているので、おくるみ１で包んだ赤ちゃんの股に手を入れて赤ちゃんを抱きかかえることができ、おくるみ１で包んだ赤ちゃんをベビーカー１２に乗せたとき赤ちゃんの股にシートベルト１３を通すことができる。
【００２０】
さらに、足挿入部３には赤ちゃんの胸部を覆う胸覆い部８が連設されており、胸覆い部８は背中覆い部２に固定可能であるので、赤ちゃんを右側覆い部４ａと左側覆い部４ｂとで覆うことなく、胸覆い部８だけで包むことができる。
【符号の説明】
【００２１】
１    おくるみ
２    背中覆い部
３    足挿入部
４ａ    右側覆い部
４ｂ    左側覆い部
５    袋部
６    腰覆い部
７    開口部
８    胸覆い部
９ａ，９ｂ    スナップボタン
１０ａ，１０ｂ    面ファスナー
１１    フード
１２    ベビーカー
１３    シートベルト
【図１】
0003175335.tif 000003
【図２】
0003175335.tif 000004
【図３】
0003175335.tif 000005
【図４】
0003175335.tif 000006
【図５】
0003175335.tif 000007